(57)【特許請求の範囲】
【請求項１】
計器本体、測定目盛及び移動指標からなり、上記測定目盛は温度目盛及び湿度目盛からなり、上記移動指標は温度測定用の指針及び湿度測定用の指針からなり、上記測定目盛としての温度目盛の管理領域を指示する貼付シール及び湿度目盛の管理領域を指示する貼付シールを備えてなり、該貼付シールは台紙に剥離可能に貼付され、該台紙から剥離して上記計器本体前面の透明板に貼付可能に形成され、上記貼付シールは、上記管理領域を指示する上限指示用及び下限指示用の一対の貼付シールからなり、該一対の貼付シールは上限指示用及び下限指示用の一対の矢印形状又は滴形状に形成され、上記上限指示用及び下限指示用の一対の貼付シールは互いに異色に形成されていることを特徴とする指示計器。
【請求項２】
上記移動指標は、回転する指針であることを特徴とする請求項１記載の指示計器。
【請求項３】
上記移動指標は、液柱の液面であることを特徴とする請求項１記載の指示計器。
【発明の詳細な説明】
【技術分野】
【０００１】
本発明は、例えば、温度計、湿度計、温湿度計、圧力計等の各種の測定事象の状態量に応じて移動する移動指標により測定目盛を指示する指示計器に関するものである。
【背景技術】
【０００２】
従来、この種の指示計器として、例えば、計器本体、測定目盛としての温度目盛及び移動指標として回転する指針から構成された温度計や、計器本体、測定目盛としての温度目盛及び移動指標として液柱の液面から構成された温度計、計器本体、測定目盛としての湿度目盛及び移動指標としての回転する指針から構成された湿度計、あるいは、これら温度計及び湿度計を並設して二種類の測定が可能な温湿度計、その他の各種の測定事象の状態量を移動指標により測定指示する構造のものが知られている。
【０００３】
そして、これら温湿度計において、上記測定目盛としての温度目盛及び湿度目盛の管理領域を指示する目安指針を計器本体に対して移動自在に取り付けて構成した構造のものが知られている。
【０００４】
この測定事象の状態量の管理領域としては、例えば、住宅や事務所の室内環境や、風邪予防、花粉症、ダニ、カビ、食中毒予防、植物栽培の温室の環境等の各種の温度管理や湿度管理、あるいは、圧力計における上限圧力及び下限圧力の許容圧力範囲などが存在している。
【先行技術文献】
【特許文献】
【０００５】
【特許文献１】実用新案登録第３１２８１３０号
【発明の概要】
【発明が解決しようとする課題】
【０００６】
しかしながら上記従来構造の場合、上記計器本体に目安指針を移動自在に組み込むことになり、目安指針を移動自在に組み込むには、計器本体を新規に製造したり、或いは改造したりする必要があり、ここに、温度及び湿度の二種類の測定を行う場合、目安指針は上限及び下限の計四個の目安指針が必要となって計器自体の構造が複雑化し易く、製作コストの低減を図ることができないし、既存の温度計、湿度計あるいは温湿度計などの指示計器に適用することができないという不都合を有している。
【課題を解決するための手段】
【０００７】
本発明はこれらの不都合を解決することを目的とするもので、本発明のうちで、請求項１記載の発明は、計器本体、測定目盛及び移動指標からなり、上記測定目盛は温度目盛及び湿度目盛からなり、上記移動指標は温度測定用の指針及び湿度測定用の指針からなり、上記測定目盛としての温度目盛の管理領域を指示する貼付シール及び湿度目盛の管理領域を指示する貼付シールを備えてなり、該貼付シールは台紙に剥離可能に貼付され、該台紙から剥離して上記計器本体前面の透明板に貼付可能に形成され、上記貼付シールは、上記管理領域を指示する上限指示用及び下限指示用の一対の貼付シールからなり、該一対の貼付シールは上限指示用及び下限指示用の一対の矢印形状又は滴形状に形成され、上記上限指示用及び下限指示用の一対の貼付シールは互いに異色に形成されていることを特徴とする指示計器。
【０００８】
又、請求項２記載の発明は、上記移動指標は、回転する指針であることを特徴とするものである。
【０００９】
又、請求項３記載の発明は、上記移動指標は、液柱の液面であることを特徴とするものである。
【発明の効果】
【００１０】
本発明は上述の如く、請求項１記載の発明にあっては、計器本体、測定目盛及び移動指標からなり、上記測定目盛は温度目盛及び湿度目盛からなり、上記移動指標は温度測定用の指針及び湿度測定用の指針からなり、上記測定目盛としての温度目盛の管理領域を指示する貼付シール及び湿度目盛の管理領域を指示する貼付シールを備えてなるから、測定目盛の管理領域を貼付シールの貼付により指示することができ、測定事象の管理領域を容易に視認することにより測定事象の状態量の管理を容易に行うことができ、計器本体を新規に製造したり、あるいは改造したりする必要がなく、現状の計器本体のまま、貼付シールを貼付することだけで、容易に管理領域を指示認識することができると共に簡素な構造とすることができ、製作コストの低減を図ることができ、かつ、貼付シールは台紙に剥離可能に貼付され、台紙から剥離して上記計器本体前面の透明板に貼付可能に形成され、上記貼付シールは、上記管理領域を指示する上限指示用及び下限指示用の一対の貼付シールからなるので、例えば、測定事象の仕様等による上限値及び下限値の変更や管理領域の変更に対する融通性を高めることができ、それだけ、使用用途の拡大を図ることができ、しかも、一対の貼付シールは上限指示用及び下限指示用の一対の矢印形状又は滴形状に形成されているから、測定事象の管理領域を容易に視認することにより測定事象の状態量の管理を容易に行うことができ、さらに、上記上限指示用及び下限指示用の一対の貼付シールは互いに異色に形成されているから、管理領域を容易に認識することができる。
【００１１】
又、請求項２記載の発明にあっては、上記移動指標は、回転する指針であるから、回転する指針と測定目盛との視認により管理領域を容易に認識することができ、測定事象の管理を容易に行うことができ、又、請求項３記載の発明にあっては、移動指標としての液柱の液面であるから、液柱の液面と測定目盛との視認により管理領域を容易に認識することができ、測定事象の管理を容易に行うことができる。
【図面の簡単な説明】
【００１２】
【図１】本発明の実施の第一形態例の全体分離斜視図である。
【図２】本発明の実施の第一形態例の全体分離正面図である。
【図３】本発明の実施の第一形態例の全体正面図である。
【図４】本発明の実施の第一形態例の全体側断面図である。
【図５】本発明の実施の第一形態例の全体正面図である。
【図６】本発明の実施の第二形態例の全体正面図である。
【図７】本発明の実施の第二形態例の全体側断面図である。
【発明を実施するための形態】
【００１３】
図１乃至図７は本発明の実施の形態例を示し、図１乃至図５は第一形態例、図６、図７は第二形態例である。
【００１４】
図１乃至図５の第一形態例において、この場合、温湿度計に適用され、１は計器本体であって、合成樹脂製の丸形のケース１ａの前面に文字板１ｂが取り付けられ、文字板１ｂの前方位置に保護板を兼ねる透明板１ｃが取り付けられ、文字板１ｂの表面には測定目盛Ｓとしての温度目盛ＳＴ及び湿度目盛ＳＨがそれぞれ上下位置に印刷形成され、計器本体１の中心部に移動指標Ｂとしての温度測定用の回転する指針ＢＴと湿度測定用の回転する指針ＢＨが配設され、図４の如く、計器本体１の内部にはバイメタル構造や半導体構造の温度検出機構Ｔ及び半導体構造の湿度検出機構Ｈが設けられ、温度検出機構Ｔ及び湿度検出機構Ｈにより移動指標Ｂとしての指針ＢＴ及び指針ＢＨがそれぞれ温度目盛ＳＴ及び湿度目盛ＳＨを指示し、温度及び湿度を視認することになる。
【００１５】
２は貼付シールであって、この場合、図１、図２の如く、台紙Ｄに剥離可能に貼付され、台紙Ｄから剥離して上記透明板１ｃに貼付可能に形成され、この場合、貼付シール２は矢印形状の上限指示用の貼付シール２ＵＰ及び下限指示用の貼付シール２ＤＮの一対の貼付シール２と、滴形状の上限指示用の貼付シール２ＵＰ及び下限指示用の貼付シール２ＤＮの一対の貼付シール２の、計八個の貼付シール２を備えている。
【００１６】
又、この場合、上記上限指示用の貼付シール２ＵＰ及び下限指示用の貼付シール２ＤＮの一対の貼付シール２は互いに異色、この場合、上限指示用の貼付シール２ＵＰは赤色系統、下限指示用の貼付シール２ＤＮは青色系統に形成されている。
【００１７】
しかして、上記管理領域Ｒとして、例えば、図３の如く、温度が１５℃〜２８℃、湿度が４０％〜６５％の場合、上限指示用の貼付シール２ＵＰを透明板１ｃ上の温度２８℃を指示する位置に貼付すると共に下限指示用の貼付シール２ＤＮを温度１５℃を指示する位置に貼付し、かつ、上限指示用の貼付シール２ＵＰを透明板１ｃ上の湿度６５％を指示する位置に貼付すると共に下限指示用の貼付シール２ＤＮを湿度４０％を指示する位置に貼付している。
【００１８】
又、図５においては、上記矢印形状の上限指示用の貼付シール２ＵＰ及び下限指示用の貼付シール２ＤＮの一対の貼付シール２に代えて、上記滴形状の上限指示用の貼付シール２ＵＰ及び下限指示用の貼付シール２ＤＮの一対の貼付シール２を上記形態例と同じ管理領域Ｒとして貼付した場合のものである。
【００１９】
この実施の第一形態例は上記構成であるから、図３の如く、測定目盛Ｓとしての温度目盛ＳＴ及び湿度目盛ＳＨの管理領域Ｒを温度１５℃〜２８℃、湿度４０％〜６５％とした場合、貼付シール２としての上限指示用の貼付シール２ＵＰを透明板１ｃ上の温度２８℃を指示する位置に貼付すると共に下限指示用の貼付シール２ＤＮを温度１５℃を指示する位置に貼付し、一方、上限指示用の貼付シール２ＵＰを透明板１ｃ上の湿度６５％を指示する位置に貼付すると共に下限指示用の貼付シール２ＤＮを湿度４０％を指示する位置に貼付することになり、移動指標Ｂとしての温度測定用の回転する指針ＢＴ及び湿度測定用の回転する指針ＢＨが測定目盛Ｓとしての温度目盛ＳＴ及び湿度目盛ＳＨを指示し、これにより、測定事象としての温度及び湿度の管理領域Ｒを容易に視認することにより測定事象の状態量としての温度管理及び湿度管理を容易に行うことができ、測定目盛Ｓの管理領域Ｒを貼付シール２の貼付により指示することができ、計器本体１を新規に製造したり、あるいは改造したりする必要がなく、現状の計器本体１のまま、貼付シール２を貼付することだけで、容易に管理領域Ｒを指示することができると共に簡素な構造とすることができ、製作コストの低減を図ることができる。
【００２０】
この場合、上記貼付シール２は、上記管理領域Ｒを指示する上限指示用及び下限指示用の一対の貼付シール２ＵＰ・２ＤＮからなるので、例えば、測定事象の仕様等による上限値及び下限値の変更や管理領域Ｒの変更に対する融通性を高めることができ、それだけ、使用用途の拡大を図ることができ、又、この場合、上記上限指示用及び下限指示用の一対の貼付シール２ＵＰ・２ＤＮは互いに異色、この場合、赤色系統及び青色系統に形成されているから、管理領域Ｒを容易に認識することができ、又、この場合、上記移動指標Ｂは、回転する指針ＢＴ・ＢＨであるから、回転する指針ＢＴ・ＢＨと測定目盛Ｓとの視認により管理領域Ｒを容易に認識することができ、測定事象の管理を容易に行うことができる。
【００２１】
図６、図７の第二形態例は別例構造を示し、この場合、第一形態例と同様、温湿度計に適用され、１０は計器本体であって、合成樹脂製の略長方形状のケース１０ａの前面に文字板１０ｂが形成され、文字板１０ｂの表面の上部には測定目盛Ｓとしての温度目盛ＳＴが印刷形成され、文字板１０ｂの表面の下部には円形状の文字板１０ｃが取り付けられ、文字板１０ｃの前方位置に保護板を兼ねる透明板１０ｄが取り付けられ、文字板１０ｃの表面には測定目盛Ｓとしての湿度目盛ＳＨが印刷形成され、図７の如く、計器本体１０の上部裏面に液柱管１０ｅが取り付けられ、液柱管１０ｅが温度検出機構Ｔとされ、この液柱管１０ｅの液柱Ｃの液面ＢＬが移動指標Ｂとされ、計器本体１０の下部に湿度測定用の回転する指針ＢＨが配設され、計器本体１０の下部には半導体構造の湿度検出機構Ｈが設けられ、移動指標Ｂとしての液柱Ｃの液面ＢＬ及び指針ＢＨがそれぞれ温度目盛ＳＴ及び湿度目盛ＳＨを指示し、温度及び湿度を視認するようにしている。
【００２２】
この実施の第二形態例は上記構成であるから、図６の如く、測定目盛Ｓとしての温度目盛ＳＴ及び湿度目盛ＳＨの管理領域Ｒを温度１５℃〜２８℃、湿度４０％〜６５％とした場合、貼付シール２としての上限指示用の貼付シール２ＵＰを文字板１０ｂ上の温度２８℃を指示する位置に貼付すると共に下限指示用の貼付シール２ＤＮを温度１５℃を指示する位置に貼付し、一方、上限指示用の貼付シール２ＵＰを透明板１０ｄ上の湿度６５％を指示する位置に貼付すると共に下限指示用の貼付シール２ＤＮを湿度４０％を指示する位置に貼付することになり、移動指標Ｂとしての温度測定用の液柱Ｃの液面ＢＬ及び湿度測定用の回転する指針ＢＨが測定目盛Ｓとしての温度目盛ＳＴ及び湿度目盛ＳＨを指示し、これにより、測定事象としての温度及び湿度の管理領域Ｒを容易に視認することにより測定事象の状態量としての温度管理及び湿度管理を容易に行うことができ、測定目盛Ｓの管理領域Ｒを貼付シール２の貼付により指示することができ、計器本体１０を新規に製造したり、あるいは改造したりする必要がなく、現状の計器本体１０のまま、貼付シール２を貼付することだけで、容易に管理領域Ｒを指示することができると共に簡素な構造とすることができ、製作コストの低減を図ることができる。
【００２３】
この場合、温度測定にあっては、移動指標Ｂとしての液柱Ｃの液面ＢＬが温度目盛ＳＴを指示し、湿度測定にあっては、回転する指針ＢＨが湿度目盛ＳＨを指示し、移動指標Ｂとしての液柱Ｃの液面ＢＬ及び回転する指針ＢＨと測定目盛Ｓとの視認により管理領域Ｒを容易に認識することができ、測定事象の管理を容易に行うことができる。
【００２４】
尚、本発明は上記実施の形態例に限られるものではなく、計器本体１・１０の構造、測定目盛Ｓの形態及び移動指標Ｂの形状や構造、貼付シール２の形態等は適宜変更して設計される。例えば、上記実施の形態例においては、貼付シール２として、上限指示用及び下限指示用の一対の貼付シール２ＵＰ・２ＤＮから構成しているが、これに代えて、一枚の貼付シール２に上限及び下限を指示可能な印刷を施した貼付シール２を容易形成し、この一枚の貼付シール２により管理領域Ｒを指示するようにすることも可能である。
【００２５】
以上、所期の目的を充分達成することができる。
【符号の説明】
【００２６】
Ｓ    測定目盛
ＳＴ 温度目盛
ＳＨ 湿度目盛
Ｂ    移動指標
ＢＴ    指針
ＢＨ    指針
Ｒ    管理領域
Ｃ    液柱
Ｄ 台紙
ＢＬ    液面
１    計器本体
１ｃ 透明板
２    貼付シール
２ＵＰ    上限指示用の貼付シール
２ＤＮ    下限指示用の貼付シール
１０    計器本体
１０ｄ 透明板
【図１】
0005963319.tif 000002
【図２】
0005963319.tif 000003
【図３】
0005963319.tif 000004
【図４】
0005963319.tif 000005
【図５】
0005963319.tif 000006
【図６】
0005963319.tif 000007
【図７】
0005963319.tif 000008